【事件の表示】
　特許第３００３４７７号「印刷装置」の請求項１ないし３に係る特許に対する特許異議の申立てについて、次のとおり決定する。
【結　論】
　訂正を認める。
　特許第３００３４７７号の請求項１、３に係る特許を取り消す。
　同請求項２に係る特許を維持する。
【理　由】
１．手続きの経緯
　特許第3003477号の請求項１乃至３に係る発明は、平成5年10月22日に特許出願され、平成11年11月19日にその特許の設定登録がなされ、その後、根津　仁より特許異議の申し立てがなされ、取消理由通知がなされ、その指定期間内である平成12年12月25日に特許異議意見書を提出するとともに、訂正請求がなされたものである。
　
２．訂正の適否についての判断
（１）訂正の内容
ア）訂正事項１
　特許明細書の請求項１の
「使用状態に応じて装着され又は取り外される複数の着脱可能部品を含む印刷装置において、使用されず印刷装置本体から取り外された一の着脱可能部品を、その使用時における装着位置とは異なる装着位置において、他の着脱可能部品に対して装着可能に構成したことを特徴とする印刷装置。」
とあるを、
「用紙の使用状態に応じて、印刷本体に備えられた用紙カセットを含む用紙搬送経路に対して装着され又は取り外される、複数の着脱可能部品を含む印刷装置において、使用されず前記用紙搬送経路から取り外された一の着脱可能部品を、その使用時における装着位置とは異なる装着位置において、他の着脱可能部品に対して直接装着可能であり、かつ、前記一の着脱可能部品と前記他の着脱可能部品とが互いの形状に基づいて連結し合うように構成したことを特徴とする印刷装置。」
と訂正する。
イ）訂正事項２
　特許明細書の請求項２の
「用紙の使用状態に応じて、印刷装置本体に備えられた用紙カセットを含む用紙搬送経路に対して装着され又は取り外される、複数の着脱可能部品を備えた印刷装置において、使用されず前記用紙搬送経路から取り外された一の着脱可能部品を、その使用時における装着位置とは異なる装着位置において、他の着脱可能部品に対して直接装着可能に構成したことを特徴とする印刷装置。」
とあるを、
「用紙の種類に基づく使用状態に応じて、印刷装置本体に備えられた用紙カセットを含む用紙搬送経路に対して装着され又は取り外される、複数の分離パッドをを備えた印刷装置において、使用されず前記用紙搬送経路から取り外された一の分離パッドを、その使用時における装着位置とは異なる装着位置において、他の着脱可能部品に対して直接装着可能であり、かつ、前記一の分離パッドと前記他の着脱可能部品とが互いの形状に基づいて連結し合うように構成したことを特徴とする印刷装置。」
と訂正する。
ウ）訂正事項３
　特許明細書の請求項３の
「前記一の着脱可能部品を前記他の着脱可能部品に装着するための嵌合手段を、印刷装置本体に対して各着脱可能部品を装着する場合の係合手段とは別個に設けたことを特徴とする請求項１または２に記載の印刷装置。」
とあるを、
「前記一の着脱可能部品を前記他の着脱可能部品に装着するための嵌合手段を、印刷装置本体に対して各着脱可能部品を装着する場合の係合手段とは別個に設けたことを特徴とする請求項１に記載の印刷装置。」
と訂正する。
エ）訂正事項４
　特許明細書の段落番号［0005］の記載を
「［課題を解決するための手段］
　上記課題を解決するために、請求項１記載の印刷装置は、使用状態に応じて装着され又は取り外される複数の着脱可能部品を含む印刷装置において、使用されず印刷装置本体から取り外された一の着脱可能部品を、その使用時における装着位置とは異なる装着位置において、他の着脱可能部品に対して装着可能に構成したことを特徴とする。
　請求項２記載の印刷装置は、用紙の使用状態に応じて、印刷装置本体に備えられた用紙カセットを含む用紙搬送経路に対して装着され又は取り外される、複数の着脱可能部品を備えた印刷装置において、使用されず前記用紙搬送経路から取り外された一の着脱可能部品を、その使用時における装着位置とは異なる装着位置において、他の着脱可能部品に対して直接装着可能に構成したことを特徴とする。
　請求項３記載の印刷装置は、請求項１または２に記載の印刷装置において、前記一の着脱可能部品を前記他の着脱可能部品に装着するための嵌合手段を、印刷装置本体に対して各着脱可能部品を装着する場合の係合手段とは別個に設けたことを特徴とする。」
と訂正する。
オ）訂正事項５
　特許明細書の段落番号［0006］の記載を
「［作用］
　上記の構成を有する請求項１記載の印刷装置は、使用されず印刷装置本体から取り外された一の着脱可能部品を、その使用時における装着位置とは異なる装着位置において、他の着脱可能部品に対して装着可能に構成したので、相対的に大きな他の着脱可能部品例えば手差しトレイに、印刷装置本体から取り外された一の着脱可能部品を装着できる。このため、取り外された一の着脱可能部品を保管中に紛失する可能性はきわめて低くなる。
　請求項２記載の印刷装置は、使用されず用紙搬送経路から取り外された一の着脱可能部品を、その使用時における装着位置とは異なる装着位置において、他の着脱可能部品に対して直接装着可能であるので、請求項１の印刷装置と同様に、取り外された一の着脱可能部品を保管中に紛失する可能性はきわめて低くなる。　請求項３記載の印刷装置は、一の着脱可能部品を前記他の着脱可能部品に装着するための嵌合手段を、印刷装置本体に対して各着脱可能部品を装着する場合の係合手段とは別個に設けたので、一の着脱可能部品を他の着脱可能部品に装着するとき（嵌合手段）と印刷装置本体に対して着脱可能部品を装着するとき（係合手段）とで、装着する手段を使い分けできる。」
と訂正する。
カ）訂正事項６
　特許明細書の段落番号［0030］の記載を
「［発明の効果］
　以上説明したことから明らかなように、請求項１記載の印刷装置によれば、印刷装置本体から取り外された一の着脱可能部品を、その使用時における装着位置とは異なる装着位置において、他の着脱可能部品に装着できる。このため、印刷装置本体から取り外された着脱可能部品を保管中に紛失する可能性はきわめて低くなる。
　同様に、請求項２記載の印刷装置によれば、使用されず用紙搬送経路から取り外された一の着脱可能部品を、その使用時における装着位置とは異なる装着位置において、他の着脱可能部品に対して直接装着可能であるので、取り外された着脱可能部品を保管中に紛失する可能性はきわめて低くなる。
　そして、請求項３記載の印刷装置によれば、請求項１または２による効果に加えて、取り外された着脱可能部品を他の着脱可能部品に装着するとき（嵌合手段）と印刷装置本体に対して着脱可能部品を装着するとき（係合手段）とで、装着する手段を使い分けできるという効果を奏する。」
と訂正する。
　
（２）訂正の目的の適否、新規事項の有無及び拡張・変更の存否
　訂正事項１は、複数の着脱可能部品が装着され又は取り外される印刷装置の場所を、「印刷本体に備えられた用紙カセットを含む用紙搬送経路」に限定するとともに、「前記一の着脱可能部品と前記他の着脱可能部品とが互いの形状に基づいて連結し合うように構成」されていると限定するものであるから、特許請求の範囲の減縮を目的とするものである。
　訂正事項２は、複数の着脱可能部品が装着され又は取り外される印刷装置の場所を、「印刷本体に備えられた用紙カセットを含む用紙搬送経路」に限定するとともに、着脱可能部品を分離パッドを含むものに限定するものであり、特許請求の範囲の減縮を目的とするものである。
　訂正事項３は、請求項の引用請求項を請求項１だけに減少させるものであり、特許請求の範囲の減縮を目的とするものである。
　訂正事項４乃至６は、特許請求の範囲の訂正に伴って、発明の詳細な説明の記載を整合させるためのものであって、明りょうでない記載の釈明を目的とするものである。
　そして、訂正事項１乃至６はいずれも新規事項の追加に該当しないし、特許請求の範囲を実質的に拡張あるいは変更するものではない。
（３）むすび
　以上のとおりであるから、上記訂正は、平成６年改正法附則第6条第1項の規定によりなお従前の例によるとされる、特許法第120条の4第3項の規定において準用する平成６年改正法による改正前の特許法第126条第1項ただし書き、第2項及び第3項の規定に適合するので、当該訂正を認める。
　
３．特許異議申立てについての判断
（１）本件の請求項１乃至３に係る発明
　本件の請求項１乃至３に係る発明は、訂正明細書の特許請求の範囲の請求項１乃至３に記載された次のとおりのものである。
「［請求項１］用紙の使用状態に応じて、印刷本体に備えられた用紙カセットを含む用紙搬送経路に対して装着され又は取り外される、複数の着脱可能部品を含む印刷装置において、使用されず前記用紙搬送経路から取り外された一の着脱可能部品を、その使用時における装着位置とは異なる装着位置において、他の着脱可能部品に対して直接装着可能であり、かつ、前記一の着脱可能部品と前記他の着脱可能部品とが互いの形状に基づいて連結し合うように構成したことを特徴とする印刷装置。（以下、「本件発明１」という。）
［請求項２］用紙の種類に基づく使用状態に応じて、印刷装置本体に備えられた用紙カセットを含む用紙搬送経路に対して装着され又は取り外される、複数の分離パッドをを備えた印刷装置において、使用されず前記用紙搬送経路から取り外された一の分離パッドを、その使用時における装着位置とは異なる装着位置において、他の着脱可能部品に対して直接装着可能であり、かつ、前記一の分離パッドと前記他の着脱可能部品とが互いの形状に基づいて連結し合うように構成したことを特徴とする印刷装置。」（以下、「本件発明２」という。）
［請求項３］前記一の着脱可能部品を前記他の着脱可能部品に装着するための嵌合手段を、印刷装置本体に対して各着脱可能部品を装着する場合の係合手段とは別個に設けたことを特徴とする請求項１に記載の印刷装置。（以下、「本件発明３」という。）」
　
（２）引用刊行物に記載された発明
刊行物１［実願昭62-89182号（実開昭63-197230号）のマイクロフィルム］記載の発明
ア）画像記録装置に給紙すべき用紙を収容する給紙カセット本体と、該給紙カセット本体に取り付けられた給紙カセットに収容される用紙の用紙巾及び位置を規正する給紙ガイドとを有する給紙カセットにおいて、上記給紙ガイドを上記給紙カセット本体に対して着脱自在に設けると共に、未使用時における上記給紙ガイドを収納する収納部を上記給紙カセット本体に設けたことを特徴とする給紙カセット。（マイクロフィルムの実用新案登録請求の範囲の項）
イ）給紙カセット本体28の底部には、未使用時の上記給紙ガイド29を収納する収納部30が設けられている。この収納部30は、給紙ガイド29の板厚よりも深く形成されており、（マイクロフィルム第11頁第4行〜8行）
ウ）次に、第2図に本考案による給紙カセットの別の実施例を示す。同図に示す例では、給紙ガイド29を収納する収納部30の給紙ガイド29挿入口を給紙カセット本体28の側面に設け、給紙カセット本体28内に用紙が収容されている時においても、給紙ガイド29が容易に取り出せるようにした例を示す。（マイクロフィルム第12頁第4行〜10行）
エ）未使用時の給紙ガイドを収納する収納部を設けたことにより給紙ガイドの置き忘れや紛失等を防止することができる。（マイクロフィルム第13頁第6行〜9行）
　以上の記載を対比のためにまとめると、刊行物１には以下のような発明が記載されている。
「用紙巾に応じて、印刷本体に備えられた給紙カセット本体に対して着脱される給紙ガイドを含む印刷装置において、使用されず給紙カセット本体から取り外された給紙ガイドを、その使用時における装着位置とは異なる装着位置において給紙カセット本体に対して直接装着可能であり、かつ、給紙ガイドが給紙カセット本体の側面に設けられた給紙ガイドを収納する収納部に収容される印刷装置。」
　
（３）対比・判断
［本件発明１］
　本件発明１を刊行物１記載の発明と対比すると、
ａ）刊行物１記載の発明の「給紙カセット本体」、「給紙ガイド」は、それぞれ「用紙カセット」、「着脱可能部品」に相当し、
ｂ）刊行物１記載の発明の「給紙カセット」も紙搬送経路に対して装着され又は取り外される部品の一つであり、「着脱可能部品」ともいうことができ、
ｃ）刊行物１記載の発明の「給紙ガイドが給紙カセット本体の側面に設けられた給紙ガイドを収納する収納部に収容される」と本件発明１の「一の着脱可能部品と他の着脱可能部品とが互いの形状に基づいて連結し合うように構成」とは、刊行物１記載の発明の収納部も給紙ガイドが収納できるような形状となっていることからみて、「一の着脱可能部品と他の着脱可能部品とが互いの形状に基づいて一緒に保管できるように構成」されている点で共通し、
　以上のことから、両者間には次のような一致点、相違点がある。
（一致点）
　印刷本体に備えられた用紙カセットを含む用紙搬送経路に対して装着され又は取り外される、複数の着脱可能部品を含む印刷装置において、使用されず前記用紙搬送経路から取り外された一の着脱可能部品を、その使用時における装着位置とは異なる装着位置において、他の着脱可能部品に対して直接装着可能であり、かつ、前記一の着脱可能部品と前記他の着脱可能部品とが互いの形状に基づいて一緒に保管できるように構成したことを特徴とする印刷装置。
（相違点）
（１）一の着脱可能部品と他の着脱可能部品が、本件発明１では用紙の使用状態に応じて用紙カセットを含む用紙搬送経路に対して装着または取り外されるものであるのに対して、刊行物１記載の発明の着脱可能部品の１つである用紙カセットは用紙の使用状態に応じてカセットを含む用紙搬送経路に対して装着または取り外されるものとはいえない点。
（２）一の着脱可能部品と他の着脱可能部品とが互いの形状に基づいて一緒に保管できるような構成として、本件発明１は両者を連結しているのに対して、刊行物１記載の発明は着脱可能部品に設けた収納部に他方の着脱可能部品を収納している点。
（相違点の検討）
　相違点（１）に関しては、着脱可能部品を他の部品と一緒にして保管することが刊行物１に記載されているように公知技術であり、複数の着脱可能部品を保管する方法として、印刷装置から取り外した着脱可能部品同士を一緒に保管するか、着脱可能部品ではあるが用紙の使用状態に応じては必ずしも印刷装置から取り外されない部品と一緒に保管するか、あるいは印刷装置本体と一緒に保管するかはいずれも普通に考えつくことであり、本件発明１においてもその実施例をみると、用紙の使用状態に応じて取り外した分離パッドやエンベロープガイドを用紙の使用状態に応じては必ずしも印刷装置から取り外されない手差しトレイに対して連結しており、その点では刊行物１記載の発明の用紙カセット本体に給紙ガイドを収納したものと本質的な違いはない。
　したがって、用紙の使用状態に応じて用紙カセットを含む用紙搬送経路に対して装着または取り外される着脱可能部品同士を一緒に保管するように構成することは、当業者が容易に考えつくことができた構成の変更である。
　相違点（２）に関しては、刊行物１記載の発明においても給紙カセット本体の収納部の形状は給紙ガイドの形状にほぼ合致し、連結されているとはいえないものの簡単には抜け落ちない構成となっているし、一般に２つの部品を一諸に保管する場合に、簡単には離脱しないように両者を互いの形状に基づいて連結するという方法は普通に考えつくことであり、連結すればより抜け落ちにくくなり紛失可能性がより一層低くなることは技術常識であるから、この点も当業者が容易に考えつくことができた構成の変更である。
　
［本件発明２］
　本件発明２を刊行物１記載の発明と対比すると、本件発明２において分離パッドも着脱可能部品といえるから、次のような一致点、相違点がある。
（一致点）
　印刷本体に備えられた用紙カセットを含む用紙搬送経路に対して装着され又は取り外される、複数の着脱可能部品を含む印刷装置において、使用されず前記用紙搬送経路から取り外された一の着脱可能部品を、その使用時における装着位置とは異なる装着位置において、他の着脱可能部品に対して直接装着可能であり、かつ、前記一の着脱可能部品と前記他の着脱可能部品とが互いの形状に基づいて一緒に保管できるように構成したことを特徴とする印刷装置。
（相違点）
（１）一の着脱可能部品と他の着脱可能部品が、本件発明１では用紙の種類に基づく使用状態に応じて用紙カセットを含む用紙搬送経路に対して装着または取り外されるものであって、一つは分離パッドであるのに対して、刊行物１記載の発明の着脱可能部品の１つである用紙カセットは用紙の種類に基づく使用状態に応じてカセットを含む用紙搬送経路に対して装着または取り外されるものとはいえないし、着脱可能部品として分離パッドは記載されていない点。
（２）一の着脱可能部品と前記他の着脱可能部品とが互いの形状に基づいて一緒に保管できるような構成として、本件発明２は分離パッドと他の着脱可能部品をを連結しているのに対して、刊行物１記載の発明は一の着脱可能部品を他の着脱可能部品に設けた収納部に収納している点。
（相違点の検討）
　相違点（１）については、着脱可能部品として用紙の種類に基づく使用状態に応じて用紙カセットを含む用紙搬送経路に対して装着または取り外されるものに限定した点は当業者が容易に考えつくことができたとしても、用紙搬送経路に装着したり取り外したりする部品として分離パッドが刊行物１に一切記載されていないし、周知である証拠もないから、この点が当業者が容易に考えつくことができた構成の変更であるとすることができない。
　相違点（２）については分離パッドと他の着脱可能部品を互いの形状に基づいて一緒に保管できるように構成することが刊行物１には記載されていないし、その点が周知である証拠もないから、この点が当業者が容易に考えつくことができた構成の変更であるとすることができない。
　
［本件発明３］
　本件発明３は、本件発明１の「前記一の着脱可能部品と前記他の着脱可能部品とが互いの形状に基づいて連結し合うように構成した」を「前記一の着脱可能部品を前記他の着脱可能部品に装着するための嵌合手段を、印刷装置本体に対して各着脱可能部品を装着する場合の係合手段とは別個に設けた」に限定するものであるから、本件発明３は刊行物１記載の発明と、上記本件発明１と刊行物１記載の発明との対比における一致点で一致するとともに相違点（１）で相違し、さらに以下に示す相違点（２）において相違する。
（相違点）
（１）一の着脱可能部品と他の着脱可能部品が、本件発明１では用紙の使用状態に応じて用紙カセットを含む用紙搬送経路に対して装着または取り外されるものであるのに対して、刊行物１記載の発明の着脱可能部品の１つである用紙カセットは用紙の使用状態に応じてカセットを含む用紙搬送経路に対して装着または取り外されるものとはいえない点。
（２）一の着脱可能部品と他の着脱可能部品とが互いの形状に基づいて一緒に保管できるように構成するのに、本件発明３では一の着脱可能部品を他の着脱可能部品に装着するための嵌合手段を、印刷装置本体に対して各着脱可能部品を装着する場合の係合手段とは別個に設けているのに対して、刊行物１記載の発明は給紙ガイドは給紙カセットの収納部に挿入するものであり、収納手段は給紙カセットに給紙ガイドを装着する場合の係合手段とは別個の手段である点。
（相違点の検討）
　相違点（１）については、上記本件発明１の相違点（１）に対する検討を参照。
　相違点（２）については、刊行物１記載の発明において給紙ガイドを給紙カセットに収納する構成は嵌合によるとみることができ、この点において本件発明３と本質的な違いは見出せないが、本件発明３が本件発明１の「連結」を限定したものであることを考慮して、本件発明３でいう嵌合は両者が連結する程度にしっかりと嵌合し、より抜け落ちが防止できる構成を意味すると解釈するとしても、一般に２つの部品を一体にするのに、両者をしっかり嵌合して連結するという方法は普通に考えつくことであり、連結すればより抜け落ちにくくなり紛失可能性がより一層低くなることは技術常識であるから、この点も当業者が容易に考えつくことができた構成の変更である。
　
（４）むすび
　以上ことから本件発明１及び３については、刊行物１記載の発明及び周知技術に基づいて当業者が容易に発明をすることができたものであり、特許法第29条第2項の規定により特許を受けることができない。
　したがって、本件発明１及び３についての特許は拒絶の査定をしなければならない特許出願に対してされたものと認める。
　本件発明２については、刊行物１記載の発明及び周知技術に基づいて当業者が容易に発明をすることができたものとすることができず、特許異議の申し立ての理由によっては本件発明２についての特許を取り消すことはできない。
　また、他に本件発明２についての特許を取り消すべき理由を発見しない。
　したがって、本件発明２についての特許は拒絶の査定をしなければならない特許出願に対してされたものと認めない。
　よって、平成６年改正法附則第14条の規定に基づく、特許法等の一部を改正する法律の施行に伴う経過措置を定める政令（平成７年政令205号）第4条第2項の規定により、結論のとおり決定する。
【異議決定日】
平成１３年１月２３日（２００１．１．２３）
【訂正の要旨】
訂正の要旨
１．特許明細書の請求項１を特許請求の範囲の減縮を目的として、
「用紙の使用状態に応じて、印刷本体に備えられた用紙カセットを含む用紙搬送経路に対して装着され又は取り外される、複数の着脱可能部品を含む印刷装置において、使用されず前記用紙搬送経路から取り外された一の着脱可能部品を、その使用時における装着位置とは異なる装着位置において、他の着脱可能部品に対して直接装着可能であり、かつ、前記一の着脱可能部品と前記他の着脱可能部品とが互いの形状に基づいて連結し合うように構成したことを特徴とする印刷装置。」
と訂正する。
２．特許明細書の請求項２を特許請求の範囲の減縮を目的として、
「用紙の種類に基づく使用状態に応じて、印刷装置本体に備えられた用紙カセットを含む用紙搬送経路に対して装着され又は取り外される、複数の分離パッドをを備えた印刷装置において、使用されず前記用紙搬送経路から取り外された一の分離パッドを、その使用時における装着位置とは異なる装着位置において、他の着脱可能部品に対して直接装着可能であり、かつ、前記一の分離パッドと前記他の着脱可能部品とが互いの形状に基づいて連結し合うように構成したことを特徴とする印刷装置。」
と訂正する。
３．特許明細書の請求項３を特許請求の範囲の減縮を目的として、
「前記一の着脱可能部品を前記他の着脱可能部品に装着するための嵌合手段を、印刷装置本体に対して各着脱可能部品を装着する場合の係合手段とは別個に設けたことを特徴とする請求項１に記載の印刷装置。」
と訂正する。
４．特許明細書の段落番号［０００５］の記載を明りょうでない記載の釈明を目的として、
「［課題を解決するための手段］
　上記課題を解決するために、請求項１記載の印刷装置は、使用状態に応じて装着され又は取り外される複数の着脱可能部品を含む印刷装置において、使用されず印刷装置本体から取り外された一の着脱可能部品を、その使用時における装着位置とは異なる装着位置において、他の着脱可能部品に対して装着可能に構成したことを特徴とする。
　請求項２記載の印刷装置は、用紙の使用状態に応じて、印刷装置本体に備えられた用紙カセットを含む用紙搬送経路に対して装着され又は取り外される、複数の着脱可能部品を備えた印刷装置において、使用されず前記用紙搬送経路から取り外された一の着脱可能部品を、その使用時における装着位置とは異なる装着位置において、他の着脱可能部品に対して直接装着可能に構成したことを特徴とする。
　請求項３記載の印刷装置は、請求項１または２に記載の印刷装置において、前記一の着脱可能部品を前記他の着脱可能部品に装着するための嵌合手段を、印刷装置本体に対して各着脱可能部品を装着する場合の係合手段とは別個に設けたことを特徴とする。」
と訂正する。
５．特許明細書の段落番号［０００６］の記載を明りょうでない記載の釈明を目的として、
「［作用］
　上記の構成を有する請求項１記載の印刷装置は、使用されず印刷装置本体から取り外された一の着脱可能部品を、その使用時における装着位置とは異なる装着位置において、他の着脱可能部品に対して装着可能に構成したので、相対的に大きな他の着脱可能部品例えば手差しトレイに、印刷装置本体から取り外された一の着脱可能部品を装着できる。このため、取り外された一の着脱可能部品を保管中に紛失する可能性はきわめて低くなる。
　請求項２記載の印刷装置は、使用されず用紙搬送経路から取り外された一の着脱可能部品を、その使用時における装着位置とは異なる装着位置において、他の着脱可能部品に対して直接装着可能であるので、請求項１の印刷装置と同様に、取り外された一の着脱可能部品を保管中に紛失する可能性はきわめて低くなる。
　請求項３記載の印刷装置は、一の着脱可能部品を前記他の着脱可能部品に装着するための嵌合手段を、印刷装置本体に対して各着脱可能部品を装着する場合の係合手段とは別個に設けたので、一の着脱可能部品を他の着脱可能部品に装着するとき（嵌合手段）と印刷装置本体に対して着脱可能部品を装着するとき（係合手段）とで、装着する手段を使い分けできる。」
と訂正する。
６．特許明細書の段落番号［００３０］の記載を明りょうでない記載の釈明を目的として、
「［発明の効果］
　以上説明したことから明らかなように、請求項１記載の印刷装置によれば、印刷装置本体から取り外された一の着脱可能部品を、その使用時における装着位置とは異なる装着位置において、他の着脱可能部品に装着できる。このため、印刷装置本体から取り外された着脱可能部品を保管中に紛失する可能性はきわめて低くなる。
　同様に、請求項２記載の印刷装置によれば、使用されず用紙搬送経路から取り外された一の着脱可能部品を、その使用時における装着位置とは異なる装着位置において、他の着脱可能部品に対して直接装着可能であるので、取り外された着脱可能部品を保管中に紛失する可能性はきわめて低くなる。
　そして、請求項３記載の印刷装置によれば、請求項１または２による効果に加えて、取り外された着脱可能部品を他の着脱可能部品に装着するとき（嵌合手段）と印刷装置本体に対して着脱可能部品を装着するとき（係合手段）とで、装着する手段を使い分けできるという効果を奏する。」
と訂正する。
（５４）【発明の名称】
印刷装置
（５７）【特許請求の範囲】
　【請求項１】
　
用紙の
、印刷装置本体に備えられた用紙カセットを含む用紙搬送経路に対して
、
備えた
　使用されず
前記用紙搬送経路
直接
であり、かつ、前記一の着脱可能部品と前記他の着脱可能部品とが互いの形状に基づいて連結し合うよう
　【請求項２】
　用紙の
種類に基づく
分離パッド
　使用されず前記用紙搬送経路から取り外された一の
分離パッド
であり、かつ、前記一の分離パッドと前記他の着脱可能部品とが互いの形状に基づいて連結し合うよう
　【請求項３】
　前記一の着脱可能部品を前記他の着脱可能部品に装着するための嵌合手段を、印刷装置本体に対して各着脱可能部品を装着する場合の係合手段とは別個に設けたことを特徴とする請求項
１に
【発明の詳細な説明】
　【０００１】
　【産業上の利用分野】
　本発明は、例えばレーザプリンタや複写機等の印刷装置に関する。
　【０００２】
　【従来の技術】
　従来、レーザプリンタ等の印刷装置は、装置本体および使用状態に応じてこの装置本体に着脱される着脱可能部品で構成されている。このような着脱可能部品としては、例えば手差し給紙用の手差しトレイや封筒等の小サイズの用紙を用いる際に、その用紙の後端位置を規制するために用紙カセット内に装着されるエンベロープガイドがある。また、用紙カセットから排出される用紙を１枚毎に分離するための分離パッド組も用紙カセットに着脱可能で、普通紙、厚紙、封筒等の用紙の種類に対応して用意されている複数個のうちの１個が用紙カセットに装着されている。
　【０００３】
　これら手差しトレイ、エンベロープガイド、分離パッド組等は、全てが常時使用されるわけではなく、不使用時には装置本体から取り外されて保管されている。
　【０００４】
　【発明が解決しようとする課題】
　しかしながら、装置本体から分離された着脱可能部品はそれぞれがばらばらに保管されていたために、保管中に紛失するおそれがあった。特に、小型の着脱可能部品は紛失の可能性が大きかった。
　【０００５】
　【課題を解決するための手段】
　上記課題を解決するために、請求項１記載の印刷装置は、
用紙の
、印刷装置本体に備えられた用紙カセットを含む用紙搬送経路に対して
、
備えた
前記用紙搬送経路
直接
であり、かつ、前記一の着脱可能部品と前記他の着脱可能部品とが互いの形状に基づいて連結し合うよう
種類に基づく
分離パッド
分離パッド
であり、かつ、前記一の分離パッドと前記他の着脱可能部品とが互いの形状に基づいて連結し合うよう
１に
　【０００６】
　【作用】
　上記の構成を有する請求項１記載の印刷装置は、使用されず
用紙搬送経路
直接
であり、かつ、前記一の着脱可能部品と前記他の着脱可能部品とが互いの形状に基づいて連結し合うよう
用紙搬送経路
互いの形状に基づいて連結
分離パッド
であり、かつ、一の分離パッドと他の着脱可能部品とが互いの形状に基づいて連結可能
分離パッド
　【０００７】
　【実施例】
　以下、本発明を具体化した一実施例を図面を参照して説明する。まず図１を参照して本発明の印刷装置としてのレーザプリンタ１０の全体的な構成について説明する。
　【０００８】
　図１に示すように、レーザプリンタ１０の最下部には、上側が開放された箱状の用紙カセット１２がレーザプリンタ１０の本体１０ａ内部に着脱可能に収容されている。この用紙カセット１２内に収納された用紙は、本体１０ａ側に設置されている半月状断面の給紙ローラ１４の回転に応じて、本体１０ａ側に供給される。この際、用紙カセット１２の前縁部１２ａに着脱可能に装着された分離パッド組１６と給紙ローラ１４との相互作用によって、用紙は正確に１枚ずつ送出される。
　【０００９】
　給紙ローラ１４の斜め上方には一対の送りローラ１８ａ、１８ｂが設置され、これら送りローラ１８ａ、１８ｂの上方には円弧状の用紙送出路２０が設けられている。この用紙送出路２０には、ほぼ水平方向に沿って設けられている手差し給紙路２２が合流している。手差し給紙路２２には一対の送りローラ２４ａ、２４ｂが設置されており、本体１０ａの前側面２６に着脱自在に装着されている手差しトレイ２８から供給される用紙を、用紙送出路２０との合流側へ送出可能である。用紙送出路２０と手差し給紙路２２との合流部分の下流側には、用紙送出路２０または手差し給紙路２２から送られる用紙を、所定のタイミングで下流側へ送出するための一対のレジストローラ２８ａ、２８ｂが設置されている。
　【００１０】
　これらレジストローラ２８ａ、２８ｂの下流側には、プロセスカートリッジ３０に装着されたドラム状の感光体３２が配されている。プロセスカートリッジ３０内には、感光体３２を所定の電位に帯電させる帯電器３４、感光体３２にトナーを供給するトナーボックス（図示略）、感光体３２の表面をクリーニングするためのクリーニングユニット（図示略）などが収容されている。このプロセスカートリッジ３０の上方には、半導体レーザ３６および反射鏡３８を備えた露光器４０が設置されており、半導体レーザ３６から発射されるレーザ光を反射鏡３８を介して帯電状態の感光体３２に照射して感光体３２表層に静電潜像を形成できる。また感光体３２の下方には、感光体３２との間に所定の間隙を保って、転写用放電器４２が配設されている。
　【００１１】
　これらプロセスカートリッジ３０、露光器４０を備えることにより、帯電器３４によって帯電された感光体３２に露光器４０からのレーザ光を照射して静電潜像を形成し、この静電潜像にトナーを付着させて感光体３２の表面上にトナー像を形成できる。さらに感光体３２と転写用放電器４２との間に用紙を介在させて転写用放電器４２を作動させれば、感光体３２上のトナー像を用紙表面に転写できる。
　【００１２】
　感光体３２および転写用放電器４２の下流側には、上述のようにして用紙上に転写されたトナー像を用紙に定着させるための熱定着器４４が設置されている。この熱定着器４４は、ヒータ４６を内蔵する加熱ローラ４８、加熱ローラ４８と対をなす加圧ローラ５０、一対の送りローラ５２ａ、５２ｂを内蔵している。こうした構成の熱定着器４４では、トナー像を転写されて感光体３２側がら送られて来る用紙を、加熱ローラ４８で加熱すると共に加熱ローラ４８および加圧ローラ５０で加圧してトナー像を用紙上に定着させた後、送りローラ５２ａ、５２ｂによって送出可能である。
　【００１３】
　熱定着器４４の排出側は、楔状の搬路切換具５４を介して排出路５６に連なっている。この排出路５６の終端部には、排出ローラ５８ａ、５８ｂが配設されており、用紙を排出路５６からフェイスダウントレイ６０上に排出可能である。また搬路切換具５４は、本体１０ａの後側面６２を構成すると共に矢印Ａ方向に沿ってほぼ水平となるまで揺動開閉可能なフェイスアップトレイ６４に連結されており、フェイスアップトレイ６４が水平位置とされると、これに連動して矢印Ｂ方向に沿って変位して排出路５６を遮断する。この際、後側面６２にはフェイスアップトレイ６４によって覆われていた側面排出口６６が開放されて、熱定着器４４からフェイスアップトレイ６４に至る水平方向の排出経路が形成される。
　【００１４】
　こうした構成により、フェイスアップトレイ６４を閉鎖位置（鉛直位置）とした際には、熱定着器４４から送出された用紙は、搬路切換具５４によって進行方向を上向きとされて排出ローラ５８ａ、５８ｂを介してフェイスダウントレイ６０上に排出される。一方、フェイスアップトレイ６４を開放位置（水平位置）とした際には、熱定着器４４から送出された用紙は、側面排出口６６を経てフェイスアップトレイ６４上に排出される。
　【００１５】
　以上のように、レーザプリンタ１０は、用紙カセット１２または手差しトレイ２８から供給される用紙に、トナー像を転写、定着した後、フェイスダウントレイ６０またはフェイスアップトレイ６４上に排出可能である。次に用紙カセット１２の細部について説明する。
　【００１６】
　図１および図２に示すように、用紙カセット１２には、用紙を支承する用紙受け板７０が底部７２に沿って配されている。この用紙受け板７０は側板７４を介してピン７６に軸支され、ピン７６を軸として揺動可能である。また、用紙受け板７０には、例えば封筒等の小サイズの用紙を用紙受け板７０上の所定の位置に保持するために用紙の後端位置を規制するためのエンベロープガイド７８が装着されている。
　【００１７】
　図２に示すように、このエンベロープガイド７８は用紙受け板７０の中央部に設けられたスライド溝８０に係合および離脱可能であり、スライド溝８０に係合した際にはスライド溝８０に沿って移動可能でもある。また、スライド溝８０の両側には、エンベロープガイド７８の移動ピッチを規定するための山部と谷部とを交互に形成された波状のピッチ溝８２、８２が設けられている。
　【００１８】
　図１に示すように、用紙受け板７０の前端側の下方には、用紙受け板７０を上方に付勢する円錐台状の押上ばね８４が設置されている。図示の状態では用紙受け板７０は押上ばね８４によって押し上げられているが、用紙カセット１２を本体１０ａから抜去した際には、用紙受け板７０は押上ばね８４の付勢力に抗して下降し用紙カセット１２の底部７２とほぼ平行となる（図２参照）。
　【００１９】
　次に分離パッド組１６、手差しトレイ２８およびエンベロープガイド７８について、それぞれさらに詳細に説明する。図１、図２および図３に示すように、分離パッド組１６は一対の斜面部９０ａ、９０ｂおよびこれら斜面部９０ａ、９０ｂ間に配された中央面９２とからなる頭部９４と中央面９２に対してほぼ垂直な軸部９６とからなる断面形状がＴ字状で合成樹脂製の分離パッドホルダ９８と、分離パッドホルダ９８の中央面９２に貼付されたゴム製のパッド１００とで構成されている。
　【００２０】
　図１に示すように、この分離パッド組１６は軸部９６を用紙カセット１２の前縁部１２ａに嵌合させて装着されており、中央面９２とほぼ垂直な方向に沿って前縁部１２ａから引き抜くことによって分離パッド組１６を用紙カセット１２から離脱させることができる。
　【００２１】
　図１、図２および図３に示すように、合成樹脂製のエンベロープガイド７８は、底部１０２と壁部１０４とを備えるＬ字状の部品で、上述のように用紙カセット１２に着脱自在である。図１および図２に示すように、エンベロープガイド７８の壁部１０４には、封筒等の用紙の後端に当接して、その後端位置を規制する当接面１０４ａが設けられている。
　【００２２】
　また図３に示すように、エンベロープガイド７８の底部１０２の裏面側には、用紙カセット１２のスライド溝８０に沿って移動可能に係合するための係合突起１０６が中央部に設けられており、係合突起１０６の両側には用紙カセット１２のピッチ溝８２と係合してエンベロープガイド７８の移動を規制する弾性突起１０８、１０８が設けられている。
　【００２３】
　図３および図４に示すように、合成樹脂製の手差しトレイ２８は、一対の側板１１０、１１０を有する略長方形の底板１１２を備えている。図３に示すように、この底板１１２に設けられた１組のガイド溝１１４、１１４には、手差しにて給紙される用紙の幅方向の移動を規制すると共に長さ方向の移動を案内するための、用紙ガイド１１６、１１６が装着されている。これら用紙ガイド１１６、１１６は、ガイド溝１１４に沿って、用紙の幅に応じた位置に移動可能である。
　【００２４】
　図３および図４に示すように、手差しトレイ２８の底板１１２の裏面側には、相対向する一対の爪１１８ａ、１１８ｂ、１２０ａ、１２０ｂ、１２２ａ、１２２ｂから成る３組の嵌合部１１８、１２０、１２２が設けられている。このうち嵌合部１１８、１２２の幅Ｗｌは、エンベロープガイド７８の底部１０２の幅ＷＥとほぼ一致し、嵌合部１１８、１２２の高さＨｌはエンベロープガイド７８の底部１０２の厚さＴＥとほぼ一致しており、エンベロープガイド７８の底部１０２を嵌合部１１８、１２２の対をなす爪１１８ａ、１１８ｂ、１２２ａ、１２２ｂ間に挿入、嵌合可能である。同様に、嵌合部１２０の幅Ｗ２は、分離パッド組１６の斜面部９０ａ、９０ｂの幅ＷＢとほぼ一致し、嵌合部１２０の高さＨ２は分離パッド組１６の斜面部９０ａ、９０ｂの厚さＴＢとほぼ一致しており、分離パッド組１６の斜面部９０ａ、９０ｂを嵌合部１２０の対をなす爪１２０ａ、１２０ｂ間に挿入、嵌合可能である。
　【００２５】
　上述のように、このレーザプリンタ１０は本体１０ａに着脱可能な着脱可能部品として、分離パッド組１６、手差しトレイ２８およびエンベロープガイド７８を備えている。また、分離パッド組１６およびエンベロープガイド７８は、用紙カセット１２に装着されているものの他に、同様のものが１個備えられている。つまり、分離パッド組１６は、普通紙用と厚紙用との２個が備えられており、エンベロープガイド７８は例えば２個の用紙カセット１２を２段に配して使用する場合に対応できるように２個が備えられている。
　【００２６】
　このため、分離パッド組１６の１個およびエンベロープガイド７８の一方または双方は、通常は本体１０ａから分離されることになる。また手差しトレイ２８も、手差し給紙を行わない場合には、本体１０ａから分離されることが多い。これら本体から分離された分離パッド組１６等は、いずれも手差しトレイ２８の嵌合部１１８、１２０、１２２に挿入、嵌合させて保管できる。このように、比較的小型の部品である分離パッド組１６やエンベロープガイド７８を、比較的大型の部品である手差しトレイ２８に連結して保管できるので、本体１０ａから分離して保管する際に、紛失する可能性はきわめて低くなる。また、手差しトレイ２８は、不使用時においても本体１０ａに装着されたままとされることが多いので、この手差しトレイ２８に不使用の分離パッド組１６やエンベロープガイド７８を嵌合させて保管すれば、これらを使用したい時にあちこちと保管場所を捜す必要もなくり、レーザプリンタ１０の使用勝手が向上する。
　【００２７】
　上述のように、本実施例のレーザプリンタ１０では、不使用時に本体１０ａから分離して保管される分離パッド組１６およびエンベロープガイド７８を、手差しトレイ２８に連結して保管できるので、これらを保管中に紛失する可能性はきわめて低くなる。
　【００２８】
　以上、実施例について説明したが、本発明はこのような実施例に限定されるものではなく、本発明の要旨を逸脱しない範囲でさまざまに実施できる。例えば、上記実施例では手差しトレイ２８に設けられた嵌合部１１８、１２０、１２２に分離パッド組１６他を嵌合させる構造としているが、図５に例示するように、一方の着脱可能部品、例えば手差しトレイに割ピン状の突起１５０を設け、他方の着脱可能部品、例えば分離パッド組に上記突起１５０に外嵌可能な穴１６０を設けて、突起１５０と穴１６０とを嵌合させて２個の着脱可能部品を連結させてもよい。あるいは、１組の面ファスナーを構成する２片をそれぞれ別個の着脱可能部品に貼付しておき、この面ファスナーを介して両着脱可能部品を連結する構造としてもよい。
　【００２９】
　また、上記実施例はレーザプリンタについての例であるが、本発明はレーザプリンタに限らず、同様の着脱可能部品を備える複写機や孔版印刷機にも適用可能である。
　【００３０】
　【発明の効果】
　以上説明したことから明らかなように、請求項１記載の印刷装置によれば、
一の着脱可能部品と他の着脱可能部品とが互いの形状に基づいて連結し合うように構成したので、用紙搬送経路
用紙搬送経路
一の分離パッドと他の着脱可能部品とが互いの形状に基づいて連結し合うように構成したので、
分離パッド
分離パッド
１に
【図面の簡単な説明】
　【図１】実施例のレーザプリンタの構造の説明図である。
　【図２】実施例のレーザプリンタに装着される用紙カセットの斜視図である。
　【図３】実施例のレーザプリンタから分離された手差しトレイに分離パッド組およびエンベロープガイドを連結する際の説明図である。
　【図４】実施例のレーザプリンタに装着される手差しトレイの底板の断面図である。
　【図５】他の方式による着脱可能部品の連結の例を示す一部断面図である。
　【符号の説明】
　１０・・・レーザプリンタ（印刷装置）、
　１０ａ・・・本体（印刷装置本体）、
　１６・・・分離パッド組（着脱可能部品）、
　２８・・・手差しトレイ（着脱可能部品）、
　７８・・・エンベロープガイド（着脱可能部品）。